(57)【要約】【課題】  室内熱交換器のシール板における結露を抑える。【解決手段】  空気調和装置１の室内ユニット２は、室内空気と熱交換を行う前側熱交換器６１及び後側熱交換器６２を少なくとも有する室内熱交換器２１と、前側熱交換器６１及び後側熱交換器６２との間における空気の通過を抑制し、前側熱交換器６１及び後側熱交換器６２から所定距離Ｌ1、Ｌ2だけ離間して設けられたシール板２４とを備えている。【選択図】      図８
2005024223.tif 000002
【特許請求の範囲】
【請求項１】
空調室内を空気調和するための空気調和装置の室内ユニット（２）であって、
室内空気と熱交換を行う第１熱交換器（６１ａ）及び第２熱交換器（６２ａ）を少なくとも有する室内熱交換器（２１）と、
前記第１熱交換器と前記第２熱交換器との間における空気の通過を抑制し、前記第１熱交換器及び前記第２熱交換器から所定距離（Ｌ１、Ｌ２）だけ離間して設けられたシール板（２４）と、
を備えた空気調和装置の室内ユニット（２）。
【請求項２】
前記所定距離（Ｌ１、Ｌ２）は、０．５ｍｍ以上、２．０ｍｍ以下である、
請求項１に記載の空気調和装置の室内ユニット（２）。
【請求項３】
前記シール板（２４）は、前記第１熱交換器（６１ａ）及び前記第２熱交換器（６２ａ）との間における空気の通過を抑制するシール板本体（７１）と、前記シール板本体と前記第１熱交換器及び前記第２熱交換器とを前記所定距離（Ｌ１、Ｌ２）だけ離間させる離間部（７６）とを有する、請求項１又は２に記載の空気調和装置の室内ユニット（２）。
【請求項４】
前記離間部（７６）は、前記シール板本体（７１）から前記第１熱交換器（６１ａ）及び前記第２熱交換器（６２ａ）に向かって突出する突起（７６ａ、７６ｂ、７６ｃ）である、請求項３に記載の空気調和装置の室内ユニット（２）。
【請求項５】
前記第１熱交換器（６１ａ）及び前記第２熱交換器（６２ａ）は、積層するように配置された複数の熱交換フィン（６４）を有し、
前記突起（７６ａ、７６ｂ、７６ｃ）は、前記複数の熱交換フィンの積層方向の長さ（Ｗ）が、前記複数の熱交換フィンの積層間隔（Ｐ）より大きく、前記複数の熱交換フィンに当接している、
請求項４に記載の空気調和装置の室内ユニット（２）。
【請求項６】
室内空気と熱交換を行う第１熱交換器（６１ａ）及び第２熱交換器（６２ａ）を少なくとも有する室内熱交換器（２１）を備えた空気調和装置（１）に設けられた室内熱交換器のシール板（２４）であって、
前記第１熱交換器と前記第２熱交換器との間における空気の通過を抑制するシール板本体（７１）と、
前記シール板本体と前記第１熱交換器及び前記第２熱交換器とを所定距離（Ｌ１、Ｌ２）だけ離間させる離間部（７６）と、
を備えた室内熱交換器のシール板（２４）。
【発明の詳細な説明】
【技術分野】
【０００１】
本発明は、空気調和装置の室内ユニット及び室内熱交換器のシール板、特に、空調室内を空気調和するための空気調和装置の室内ユニット、及び、室内空気と熱交換を行う第１熱交換器及び第２熱交換器を少なくとも有する室内熱交換器を備えた空気調和装置に設けられた室内熱交換器のシール板に関する。
【背景技術】
【０００２】
従来から、ビルや住宅などの建物内において、空気調和された空気を建物内に供給することにより、建物内の快適性を向上させる空気調和装置が知られている。
【０００３】
このような空気調和装置は、主として、室内ユニットと、室外ユニットと、冷媒配管とを備えている。
【０００４】
室内ユニットは、空調対象の室内の天井や壁面上部に設けられており、室内熱交換器、送風ファン等を有している。室内熱交換器は、前面側熱交換器と背面側熱交換器とが側面視逆Ｖ字形状に連結される熱交換器である。この室内熱交換器は、冷媒配管に接続され、室内空気との間で熱交換を行う。送風ファンは、室内空気を室内ユニット内に吸入し、室内熱交換器において熱交換が行われた後、その空気を室内に吹き出している。
【０００５】
室内ユニットは、さらに、シール板を有している。このシール板は、前面側熱交換器と背面側熱交換器との間に設置されており、前面側熱交換器と背面側熱交換器との隙間を埋めることにより、シール板は隙間における空気の通過を防止している。より具体的には、このシール板は、前面側熱交換器と背面側熱交換器との上端部に密着することにより、前面側熱交換器と背面側熱交換器との隙間を埋めている。このシール板が前面側熱交換器と背面側熱交換器との間を空気が通過することを防止することにより、室内熱交換器において室内空気の熱交換が確実に行われるようになっている。
【０００６】
室外ユニットは、室内ユニットと冷媒配管を介して接続されており、圧縮機、室外熱交換器、膨張弁等を有している。室外ユニットは、室内ユニットとの間で冷媒の循環サイクルを形成している。例えば、冷房運転時には、圧縮機において圧縮された冷媒は、室外熱交換器において凝縮されて、膨張弁で減圧された後、冷媒配管を介して室内ユニットに送られる。そして、室内ユニットに送られた冷媒は、室内熱交換器において室内空気と熱交換を行って蒸発されて、再度、冷媒配管を介して室外ユニットに送られて圧縮機に吸入される。
【０００７】
ところで、このような室内ユニットに設けられたシール板は、前面側熱交換器と背面側熱交換器との隙間を埋めるために、室内熱交換器に密着するように設けられているため、冷房運転時のように室内熱交換器が室内空気よりも低温になる場合には、室内熱交換器からの伝熱によってシール板も室内空気よりも低温となる場合がある。このような場合において、シール板の温度が室内空気の露点以下の温度になると、シール板の表面が結露する場合がある。この結露により発生した水は、シール板の近傍に配置された吸入フィルタに吸い取られて、カビ等の細菌が発生したり、悪臭が発生したりすることがある。このようなシール板の表面における結露が吸入フィルタに吸い取られることがないようにするため、結露により発生した水を排出するためのドレン孔を吸入フィルタ近傍に設けたシール板が提案されている（例えば、特許文献１参照）。
【０００８】
しかし、上記のようなドレン孔を有するシール板を用いることにより、結露により発生した水が吸入フィルタに吸い取られることはなくなるが、シール板の表面における結露現象そのものを抑制することはできない。このため、上記の空気調和装置の室内ユニットでは、シール板の表面において、カビ等の細菌や悪臭が発生する可能性がある。また、シール板の表面に結露により発生した水が、吸入フィルタの取り外し時に飛び跳ねる可能性がある。
【特許文献１】実用新案登録第２５３２４４１号
【発明の開示】
【発明が解決しようとする課題】
【０００９】
本発明の課題は、室内熱交換器のシール板における結露を抑えることにある。
【課題を解決するための手段】
【００１０】
請求項１に記載の空気調和装置の室内ユニットは、空調室内を空気調和するための空気調和装置の室内ユニットであって、室内空気と熱交換を行う第１熱交換器及び第２熱交換器を少なくとも有する室内熱交換器と、第１熱交換器と第２熱交換器との間における空気の通過を抑制し、第１熱交換器及び第２熱交換器から所定距離だけ離間して設けられたシール板とを備えている。
【００１１】
この空気調和装置の室内ユニットでは、シール板が室内空気と熱交換を行う第１熱交換器及び第２熱交換器から所定距離だけ離間して設けられているため、シール板と第１熱交換器及び第２熱交換器との間には、厚さが所定距離の空気層が形成されている。このため、従来の空気調和装置の室内ユニットに比べて、第１熱交換器及び第２熱交換器からシール板に伝熱により授受される熱量が減少される。これにより、冷房運転時のシール板における結露を抑えることができる。
【００１２】
請求項２に記載の空気調和装置の室内ユニットは、請求項１において、所定距離は、０．５ｍｍ以上、２．０ｍｍ以下である。
【００１３】
例えば、シール板と第１熱交換器及び第２熱交換器との距離が０．５ｍｍより小さくすると、第１熱交換器及び第２熱交換器からシール板への伝熱により、シール板が結露しやすくなる。また、シール板と第１熱交換器及び第２熱交換器との距離が２．０ｍｍより大きくすると、シール板が第１熱交換器及び第２熱交換器との間における空気の通過を抑制することが困難となる。
【００１４】
このように、この空気調和装置の室内ユニットでは、シール板と第１熱交換器及び第２熱交換器との距離が０．５ｍｍ以上、２．０ｍｍ以下に設定されているため、シール板における結露の抑制と、第１熱交換器及び第２熱交換器との間における空気の通過の抑制とを両立することができる。
【００１５】
請求項３に記載の空気調和装置の室内ユニットは、請求項１又は２において、シール板は、第１熱交換器及び第２熱交換器との間における空気の通過を抑制するシール板本体と、シール板本体と第１熱交換器及び第２熱交換器とを所定距離だけ離間させる離間部とを有する。
【００１６】
この空気調和装置の室内ユニットでは、シール板が、第１熱交換器及び第２熱交換器との間における空気の通過を抑制するシール板本体と、シール板本体と第１熱交換器及び第２熱交換器と所定距離だけ離間させる離間部とを有しており、第１熱交換器および第２熱交換器とを所定距離だけ離間させている。
【００１７】
このように、この空気調和装置の室内ユニットでは、シール板と第１熱交換器及び第２熱交換器とを所定距離だけ離間させるための別途部材が不要である。
【００１８】
請求項４に記載の空気調和装置の室内ユニットは、請求項３において、離間部は、シール板本体から第１熱交換器及び第２熱交換器に向かって突出する突起である。
【００１９】
この空気調和装置の室内ユニットでは、第１熱交換器及び第２熱交換器とシール板本体とを所定距離だけ離間させる離間部が突起であるため、シール板と第１熱交換器及び第２熱交換器との距離が所定距離より接近するような外力が加わった場合に、この突起が第１熱交換器及び第２熱交換器と当接してシール板本体が第１熱交換器及び第２熱交換器に接触するのを防ぐことができる。これにより、シール板本体と第１熱交換器及び第２熱交換器との距離を所定距離に確実に保つことができる。
【００２０】
請求項５に記載の空気調和装置の室内ユニットは、請求項４において、第１熱交換器及び第２熱交換器は、積層するように配置された複数の熱交換フィンを有している。突起は、複数の熱交換フィンの積層方向の長さが、複数の熱交換フィンの積層間隔より大きく、複数の熱交換フィンに当接している。
【００２１】
この空気調和装置の室内ユニットでは、複数の熱交換フィンの積層方向における突起の長さが、複数の熱交換フィンの積層間隔より大きくなっているため、突起が熱交換フィン間に嵌る等の不具合が生じにくくなっている。これにより、シール板本体と第１熱交換器及び第２熱交換器との距離を所定距離に確実に保つことができる。
【００２２】
請求項６に記載の室内熱交換器のシール板は、室内空気と熱交換を行う第１熱交換器及び第２熱交換器を少なくとも有する室内熱交換器を備えた空気調和装置に設けられた室内熱交換器のシール板であって、第１熱交換器と第２熱交換器との間における空気の通過を抑制するシール板本体と、シール板本体と第１熱交換器及び第２熱交換器とを所定距離だけ離間させる離間部とを備えている。
【００２３】
この室内熱交換器のシール板では、シール板本体が、離間部によって、空気と熱交換する第１熱交換器および第２熱交換器から所定距離だけ離間して設けられているため、シール板と第１熱交換器及び第２熱交換器との間には、厚さが所定距離の空気層が形成されている。このため、従来の室内熱交換器のシール板に比べて、第１熱交換器及び第２熱交換器からシール板に伝熱により授受される熱量が減少される。これにより、冷房運転時のシール板における結露を抑えることができる。
【発明の効果】
【００２４】
以上の説明に述べたように、本発明によれば、以下の効果が得られる。
【００２５】
請求項１にかかる発明では、シール板が室内空気と熱交換を行う第１熱交換器及び第２熱交換器から所定距離だけ離間して設けられているため、シール板と第１熱交換器及び第２熱交換器との間には、厚さが所定距離の空気層が形成されている。このため、従来の空気調和装置の室内ユニットに比べて、第１熱交換器及び第２熱交換器からシール板に伝熱により授受される熱量が減少される。これにより、冷房運転時のシール板における結露を抑えることができる。
【００２６】
請求項２にかかる発明では、シール板が、０．５ｍｍ以上、２．０ｍｍ以下だけ第１熱交換器及び第２熱交換器から離間しているため、結露の抑制と空気の通過の抑制とを両立することができる。
【００２７】
請求項３にかかる発明では、シール板が、第１熱交換器及び第２熱交換器との間における空気の通過を抑制するシール板本体と、シール板本体と第１熱交換器及び第２熱交換器と所定距離だけ離間させる離間部とを有しており、第１熱交換器および第２熱交換器とを所定距離だけ離間させているため、シール板と第１熱交換器及び第２熱交換器とを所定距離だけ離間させるための別途部材が不要である。
【００２８】
請求項４にかかる発明では、第１熱交換器及び第２熱交換器とシール板本体とを所定距離だけ離間させる離間部が突起であるため、シール板と第１熱交換器及び第２熱交換器との距離が所定距離より接近するような外力が加わった場合に、この突起が第１熱交換器及び第２熱交換器と当接してシール板本体が第１熱交換器及び第２熱交換器に接触するのを防ぐことができる。これにより、シール板本体と第１熱交換器及び第２熱交換器との距離を所定距離に確実に保つことができる。
【００２９】
請求項５にかかる発明では、複数の熱交換フィンの積層方向における突起の長さが、複数の熱交換フィンの積層間隔より大きくなっているため、突起が熱交換フィン間に嵌る等の不具合が生じにくくなっている。これにより、シール板本体と第１熱交換器及び第２熱交換器との距離を所定距離に確実に保つことができる。
【００３０】
請求項６にかかる発明では、シール板本体が、離間部によって、空気と熱交換する第１熱交換器および第２熱交換器から所定距離だけ離間して設けられているため、シール板と第１熱交換器及び第２熱交換器との間には、厚さが所定距離の空気層が形成されている。このため、従来の室内熱交換器のシール板に比べて、第１熱交換器及び第２熱交換器からシール板に伝熱により授受される熱量が減少される。これにより、冷房運転時のシール板における結露を抑えることができる。
【発明を実施するための最良の形態】
【００３１】
以下、本発明にかかる室内熱交換器のシール板、及び、空気調和装置の室内ユニットの一実施形態について、図面に基づいて説明する。
【００３２】
（１）空気調和装置の外観
図１は、本発明にかかる室内熱交換器のシール板、及び、空気調和装置の室内ユニットの一実施形態が採用された空気調和装置１の外観を示す図である。
【００３３】
この空気調和装置１は、室内の壁面などに設置される室内ユニット２と、室外に設置される室外ユニット３と、室内ユニット２と室外ユニット３とを接続する冷媒配管４とを備えており、各ユニット２、３内に収納された機器・弁類と冷媒配管４とが接続されて冷媒回路を構成している。
【００３４】
（２）空気調和装置の冷媒回路
図２は、空気調和装置１の概略冷媒回路を示す図である。この冷媒回路は、主として、室内熱交換器２１、アキュムレータ３１、圧縮機３２、四路切換弁３３、室外熱交換器３４及び膨張弁３５から構成されている。
【００３５】
室内ユニット２は、主に、室内熱交換器２１を有しており、室内空気との間で熱交換を行う。また、室内ユニット２には、室内空気を吸入して室内熱交換器２１との間で熱交換を行わせた後に室内に吹き出すための室内ファン２２が設けられている。室内ファン２２は、外周部に複数の翼が設けられた細長い円筒形状の羽根車２２ａと、羽根車２２ａを回転駆動するファンモータ２２ｂとを有しており、その回転軸と交わる方向に空気を吹き出すクロスフローファンである。室内ユニット２の詳細な構成については後述する。
【００３６】
室外ユニット３は、主に、圧縮機３２と、圧縮機３２の吐出側に接続された四路切換弁３３と、圧縮機３２の吸入側に接続されたアキュムレータ３１と、四路切換弁３３に接続された室外熱交換器３４と、室外熱交換器３４に接続された膨張弁３５とを有している。膨張弁３５は、液側閉鎖弁３６を介して液冷媒配管４１に接続されており、この液冷媒配管４１を介して室内熱交換器２１の一端と接続されている。また、四路切換弁３３は、ガス側閉鎖弁３７を介してガス冷媒配管４２に接続されており、このガス冷媒配管４２を介して室内熱交換器２１の他端と接続されている。尚、冷媒配管４１、４２は、図１の冷媒配管４に相当する。また、室外ユニット３には、熱源としての室外空気を室外から吸入して室外熱交換器３４との間で熱交換を行わせた後に室外に吹き出すための室外ファン３８が設けられている。室外ファン３８は、プロペラ形状の翼を有する羽根車３８ａと、羽根車３８ａを回転駆動するファンモータ３８ｂとを有しており、その回転軸方向に空気を吹き出すプロペラファンである。
【００３７】
（３）室内ユニットの構成
＜室内ユニットの全体構成＞
室内ユニット２は、図１に示すように、正面視において横方向に長いユニットケーシング２３を備えており、前述の室内熱交換器２１や室内ファン２２は、室内ユニット２のユニットケーシング２３内に収容されている。また、室内熱交換器２１は、後述するように、主として、前面側熱交換器６１と後面側熱交換器６２とが側面視逆Ｖ字形状に連結された熱交換器である。室内ユニット２は、前面側熱交換器６１と後面側熱交換器６２との間における空気の通過を抑制するシール板２４を備えている（図３参照）。
【００３８】
＜ユニットケーシング＞
ユニットケーシング２３は、図１及び図３に示すように、主として、前面パネル５１と、底パネル５２と、据付板５４とから構成されている。ここで、図３は、室内ユニット２の側面断面図である。
【００３９】
前面パネル５１は、上面５３、前面５５及び側面５６、５７（図１参照）によって構成されている。上面５３は、室内熱交換器２１の上方を覆っており、複数のスリット状の開口からなる吸入口５３ａが設けられている。吸入口５３ａと室内熱交換器２１との間には、吸入フィルタ５３ｂが配置されている。前面５５は、概ね平坦に形成されており、室内熱交換器２１の前方を覆っている。側面５６、５７は、図１に示すように、室内熱交換器２１の側方を覆っている。側面５６、５７のうち、図１において室内ユニット２の左方に配置された側面を側面５６とし、図１において室内ユニット２の右方に配置された側面を側面５７とする。
【００４０】
底パネル５２は、室内熱交換器２１及び室内ファン２２の下方を覆っており、室内ユニット２の長手方向に沿う開口からなる吹出口５２ａが設けられている。また、吹出口５２ａには、室内に吹き出される空気を案内するためのフラップ５８が設けられている。このフラップ５８は、室内ユニット２の長手方向に平行な軸を中心に回動自在に設けられている。フラップ５８は、フラップモータ（図示せず）によって回動することにより、吹出口５２ａの開閉を行うことができる。
【００４１】
据付板５４は、室内ユニット２の背面を構成しており、室内熱交換器２１の後方を覆っている。
【００４２】
また、室内熱交換器２１の下方には、冷房運転時等に、室内熱交換器２１において冷却される空気中の水分が結露して発生する水を受けるためのドレンパン５９が設けられている。このドレンパン５９は、結露により発生した水を外部に排出するためのドレンホース（図示せず）に接続されている。
【００４３】
＜室内熱交換器＞
室内熱交換器２１は、図３及び図４に示すように、室内ファン２２の前方、上方及び後方を取り囲むように取り付けられている。ここで、図４は、室内熱交換器２１とシール板２４とを示す分解斜視図である。室内熱交換器２１は、室内ファン２２の駆動により吸入口５３ａから吸入される室内空気と、伝熱管６３内を流れる冷媒との間で熱交換を行う。室内熱交換器２１は、側面視逆Ｖ字型の断面形状を有している。
【００４４】
室内熱交換器２１は、前述のように前面側熱交換器６１と後面側熱交換器６２とが側面視逆Ｖ字形状に連結された熱交換器である。前面側熱交換器６１は、熱交換器６１ａと熱交換器６１ｂとに分割されている。同様に、後面側熱交換器６２は、熱交換器６２ａと熱交換器６２ｂとに分割されている。これら４つに分割された熱交換器６１ａ、６１ｂ、６２ａ、６２ｂは、それぞれ水平方向に長い板状の形状を有している。
【００４５】
熱交換器６２ａは、上端が室内ユニット２の前方へ向けて傾斜するとともに、室内ファン２２の上方から後部上方を覆うように配置されている。熱交換器６１ａは、熱交換器６２ａの前方において、上端が室内ユニット２の後方へ向けて傾斜するとともに、室内ファン２２の上方を覆うように配置されている。熱交換器６１ａの上端は、熱交換器６２ａの上端に近接している。このように、熱交換器６１ａの上端と熱交換器６２ａの上端とが近接することにより、逆Ｖ字型の頂上部６６が形成されている。熱交換器６１ｂは、熱交換器６１ａの下方において、室内ファン２２の前方を覆うように配置されている。熱交換器６１ｂの上端は、熱交換器６１ａの下端に近接している。熱交換器６２ｂは、熱交換器６２ａの下方において、室内ファン２２の後方を覆うように配置されている。熱交換器６２ｂの上端は、熱交換器６２ａの下端に近接している。
【００４６】
各熱交換器６１ａ、６１ｂ、６２ａ、６２ｂは、長手方向の一端（図４の紙面左側）がＵ字型に折り返されたヘアピン部６３ａを有する複数の伝熱管６３と、伝熱管６３が挿通された複数の熱交換フィン６４とから構成されている。
【００４７】
各伝熱管６３の管端部６３ｂは、熱交換器６１ａ、６１ｂ、６２ａ、６２ｂの長手方向に平行に配置され、図４に示すように、熱交換器６１ａ、６１ｂ、６２ａ、６２ｂの長手方向の他端（図４の紙面右側）において、Ｕ字管６５によって他の伝熱管６３の管端部６３ｂに接続されている。伝熱管６３のヘアピン部６３ａ及びＵ字管６５は、熱交換器６１ａ、６１ｂ、６２ａ、６２ｂの長手方向端部から側方に向かって突出している。尚、室内熱交換器２１の右側面には、Ｕ字管６５に接続されていない複数の管端部６３ｃが存在する。これらの伝熱管６３の管端部６３ｃは、他の冷媒回路を構成する部品や冷媒配管４に接続されている。
【００４８】
熱交換フィン６４は、各熱交換器６１ａ、６１ｂ、６２ａ、６２ｂの断面と同じ形状を有する薄板状の部材であり、伝熱管６３の長手方向に向かって所定の間隔を空けて積層するように配置されている。
【００４９】
尚、上記における「左右」とは、室内ユニット２の正面視における左右を意味しており、特に、室内熱交換器２１に関する「左右」は、室内熱交換器２１が室内ユニット２に備えられた状態での正面視における左右を意味している。また、以下に説明するシール板２４に関する「左右」もシール板２４が取り付けられた室内熱交換器２１が室内ユニット２に備えられた状態での正面視における左右を意味している。
【００５０】
＜シール板＞
シール板２４は、図３及び図４に示すように、前面側熱交換器６１と後面側熱交換器６２との間における空気の通過を抑制する樹脂製の部材である。シール板２４は、熱交換器６１ａと熱交換器６２ａとによって形成される頂上部６６の隙間に被さるように取り付けられている。
【００５１】
シール板２４は、図４〜図１０に示すように、主として、シール板本体７１と、複数の第１爪部７２と、複数の第２爪部７３と、第１係止部７４と、第２係止部７５と、複数の離間部７６とから構成されている。ここで、図５は、シール板２４を取り付け面から見た斜視図である。図６は、図５のＢ部分の拡大図である。図７は、図５のＣ部分の拡大図である。図８は、図３のＡ部分の拡大図である。図９は、室内熱交換器２１にシール板２４が取り付けられた状態を室内熱交換器２１の右側面から見た図である。図１０は、図８のＤ−Ｄ断面図である。
【００５２】
シール板本体７１は、頂上部６６に沿って上方から被せられるため（図４参照）、熱交換器６１ａと熱交換器６２ａとによって形成される頂上部６６の形状に合うようにＶ字型の断面形状となっている（図８参照）。この頂上部６６の隙間は、室内熱交換器２１の長手方向に沿って存在するため、シール板本体７１も、室内熱交換器２１の長手方向の長さとほぼ同じ長さの細長い形状となっている。また、シール板本体７１には、複数のドレン孔７１ａが形成されており、シール板本体７１の表面において結露した水を室内熱交換器２１側に排出できるようになっている。ドレン孔７１ａは、本実施形態において、８個あり、シール板本体７１の長手方向に沿ってほぼ等間隔に配置され、かつ、シール板２４が室内熱交換器２１に取り付けられた状態において最も結露水が溜まりやすいＶ字型の断面形状の最下部に配置されるように形成されている（図４〜図６参照）。
【００５３】
第１爪部７２は、本実施形態において、３個あり、シール板本体７１の長手方向に沿ってほぼ等間隔に設けられている（図４及び図５参照）。第２爪部７３は、本実施形態において、３個あり、シール板本体７１の長手方向に沿ってほぼ等間隔に設けられている（図４及び図５参照）。また、第１爪部７２と第２爪部７３とは、同じ長手方向位置に配置されている（図６参照）。第１爪部７２及び第２爪部７３は、室内熱交換器２１を構成する熱交換フィン６４の間に圧入されることにより、シール板本体７１の浮きやずれを防止している。
【００５４】
第２係止部７５は、シール板本体７１の右側の端部に設けられており、室内熱交換器２１の右側面から突出する伝熱管６３の管端部６３ｃに上方から被せられて係止されることで、シール板２４を室内熱交換器２１に固定するための部分である（図４、図５、図７及び図９参照）。第２係止部７５は、２つの湾曲部７５ａ、７５ｂを有している。湾曲部７５ａ、７５ｂは、シール板本体７１の長手方向に平行な軸を中心に略円弧状に湾曲する部材である。湾曲部７５ａ、７５ｂは、シール板本体７１を挟んで前後に配置されている。湾曲部７５ａ、７５ｂは、伝熱管６３の管端部６３ｃに沿って湾曲しており、伝熱管６３の管端部６３ｃを上方から覆って係止されている。伝熱管６３の管端部６３ｃは、室内熱交換器２１の右側面から突出している。湾曲部７５ａは、熱交換器６１ａ側の伝熱管６３の管端部６３ｃに係止され、湾曲部７５ｂは、熱交換器６２ａ側の伝熱管６３の管端部６３ｃに係止されている。第１係止部７４は、シール板本体７１の左側の端部に設けられており、室内熱交換器２１の左側面から突出する伝熱管６３のヘアピン部６３ａに上方から被せられて係止されることで、シール板２４を室内熱交換器２１に固定するための部分である（図４及び図５参照）。尚、第１係止部７４については、第２係止部７５と同様の構造を有しているため、説明を省略する。
【００５５】
離間部７６は、シール板本体７１と熱交換器６１ａ、６２ａとを所定距離だけ離間させる部分であり、本実施形態において、第１爪部７２及び第２爪部７３と同じ長手方向位置に配置されている（図５、図６、及び図８参照）。離間部７６は、本実施形態において、シール板本体７１の熱交換器６１ａ、６２ａ側に向かって突出する複数（本実施形態では、３個）の突起７６ａ、７６ｂ、７６ｃである。突起７６ａ、７６ｂは、シール板本体７１の熱交換器６１ａに対向する面に設けられており、熱交換器６１ａの熱交換フィン６４の上端部に当接して、シール板本体７１の熱交換器６１ａ側面と熱交換器６１ａの熱交換フィン６４の上端部とを所定距離Ｌ１だけ離間させている。突起７６ｃは、シール板本体７１の熱交換器６２ａに対向する面に設けられており、熱交換器６２ａの熱交換フィン６４の上端部に当接して、シール板本体７１の熱交換器６２ａ側面と熱交換器６２ａの熱交換フィン６４の上端部とを所定距離Ｌ２だけ離間させている。本実施形態において、突起７６ｃは、第２爪部７３と一部が重なるように設けられている。さらに、突起７６ａ、７６ｂ、７６ｃは、本実施形態において、シール板本体７１の長手方向に向かってやや長細い形状を有しており、突起７６ａの場合、突起７６ａの長手方向幅Ｗは、熱交換フィン６４のピッチＰよりも大きくなるように設定されている（図１０参照）。尚、この突起７６ａの長手方向幅Ｗを熱交換フィン６４のピッチＰよりも大きくする設定は、詳細は図示しないが、突起７６ｂ、７６ｃに対しても同様に行われている。
【００５６】
このように、シール板２４は、前面側熱交換器６１と後面側熱交換器６２との間（具体的には、熱交換器６１ａと熱交換器６２ａとの間）における空気の通過を抑制しつつ、所定距離（本実施形態では、所定距離Ｌ１、Ｌ２）だけ前面側熱交換器６１及び後面側熱交換器６２（具体的には、熱交換器６１ａ、６２ａ）から離間した状態で設けられている。そして、この所定距離Ｌ１、Ｌ２は、シール板２４と熱交換器６１ａ、６２ａとの距離が０．５ｍｍより小さくなると、熱交換器６１ａ、６２ａからシール板２４への伝熱により、シール板２４に結露が発生しやすくなり、また、シール板２４と熱交換器及６１ａ、６２ａとの距離が２．０ｍｍより大きくなると、シール板２４が熱交換器６１ａ、６２ａとの間における空気の通過を抑制することが困難になるため、結露の発生の抑制と空気の通過の抑制とを両立できるように、０．５ｍｍ以上、２．０ｍｍ以下の範囲になるように設定されている。
【００５７】
（４）空気調和装置の動作
次に、空気調和装置１の動作について、図２を用いて説明する。
【００５８】
＜冷房運転＞
まず、冷房運転について説明する。冷房運転時は、四路切換弁３３が図２の実線で示される状態、すなわち、圧縮機３２の吐出側が室外熱交換器３４のガス側に接続され、かつ、圧縮機３２の吸入側が室内熱交換器２１のガス側に接続された状態となっている。また、液側閉鎖弁３６及びガス側閉鎖弁３７は開にされ、膨張弁３５は冷媒を減圧するように開度調節されている。
【００５９】
この冷媒回路の状態で、室外ファン３８、室内ファン２２及び圧縮機３２を起動すると、冷媒は、圧縮機３２に吸入されて圧縮された後、四路切換弁３３を経由して室外熱交換器３４に送られて、外気と熱交換して凝縮される。この凝縮した冷媒は、膨張弁３５において減圧された後、液側閉鎖弁３６及び液冷媒配管４１を経由して室内ユニット２に送られる。そして、室内ユニット２に送られた冷媒は、室内熱交換器２１で室内空気と熱交換して蒸発される。この蒸発した冷媒は、ガス冷媒配管４２を経由して、室外ユニット３に戻される。そして、室外ユニット３に戻された冷媒は、ガス側閉鎖弁３７、四路切換弁３３及びアキュムレータ３１を経由して、再び、圧縮機３２に吸入される。
【００６０】
ここで、室内ユニット２の室内熱交換器２１においては、伝熱管６３内を流れる冷媒が室内空気よりも低温になっているため、室内熱交換器２１を構成する伝熱管６３や熱交換フィン６４も、室内空気よりも低温になっている。このため、伝熱管６３や熱交換フィン６４の温度が室内空気の露点以下の温度になると、室内空気を冷却する際に、伝熱管６３や熱交換フィン６４の表面が結露する。この結露現象は、シール板２４の表面においても生じるが、シール板２４が室内空気と熱交換を行う熱交換器６１ａ及び熱交換器６２ａから所定距離Ｌ１、Ｌ２だけ離間して設けられており、シール板２４（具体的には、シール板本体７１）と熱交換器６１ａ及び熱交換器６２ａとの間に厚さが所定距離Ｌ１、Ｌ２の空気層が形成されているため、熱交換器６１ａ、６２ａからシール板２４に伝熱により授受される熱量が減少されて結露が抑えられている。しかも、結露した場合であっても、結露により発生した水は、シール板本体７１に形成されたドレン孔７１ａから室内熱交換器２１側に排出されるようになっており、結露により発生した水がシール板本体７１に溜まったままの状態になることはない。
【００６１】
また、シール板２４と熱交換器６１ａ、６２ａとの間の所定距離Ｌ１、Ｌ２は、シール板２４と熱交換器６１ａ、６２ａとの間における空気の通過を抑制する作用を損なわない距離に設定されているため、結露の抑制と空気の通過の抑制とが両立されている。
【００６２】
＜暖房運転＞
次に、暖房運転について説明する。暖房運転時は、四路切換弁２３が図２の破線で示される状態、すなわち、圧縮機３２の吐出側が室内熱交換器２１のガス側に接続され、かつ、圧縮機３２の吸入側が室外熱交換器３４のガス側に接続された状態となっている。また、液側閉鎖弁３６及びガス側閉鎖弁３７は開にされ、膨張弁３５は冷媒を減圧するように開度調節されている。
【００６３】
この冷媒回路の状態で、室外ファン３８、室内ファン２２及び圧縮機３２を起動すると、冷媒は、圧縮機３２に吸入されて圧縮された後、四路切換弁３３、ガス側閉鎖弁３７及びガス冷媒配管４２を経由して室内ユニット２に送られる。そして、室内ユニット２に送られた冷媒は、室内熱交換器２１で室内空気と熱交換して凝縮される。この凝縮した冷媒は、液冷媒配管４１を経由して室外ユニット３に戻される。そして、室外ユニット３に戻された冷媒は、液側閉鎖弁３６を経由して、膨張弁３５に送られて減圧された後、室外熱交換器３４に送られて、室外空気と熱交換して蒸発される。この蒸発された冷媒は、四路切換弁３３及びアキュムレータ３１を経由して、再び、圧縮機３２に吸入される。
【００６４】
（５）室内熱交換器のシール板及び空気調和装置の室内ユニットの特徴
本実施形態の室内熱交換器２１のシール板２４及び空気調和装置１の室内ユニット２には、以下のような特徴がある。
【００６５】
（Ａ）
本実施形態の空気調和装置１の室内ユニット２では、シール板２４が室内空気と熱交換を行う前面側熱交換器６１及び後面側熱交換器６２から所定距離Ｌ１、Ｌ２だけ離間して設けられているため（図８参照）、シール板２４と前面側熱交換器６１及び後面側熱交換器６２との間には、厚さが所定距離Ｌ１、Ｌ２の空気層が形成されている。このため、従来の空気調和装置の室内ユニットに比べて、前面側熱交換器６１及び後面側熱交換器６２からシール板２４に伝熱により授受される熱量が減少される。これにより、冷房運転時のシール板２４における結露を抑えることができるようになっている。また、吸入フィルタ５３ｂの取り外し時においても、シール板２４の表面に結露により発生した水が飛び跳ねることもなくなる。
【００６６】
しかも、この所定距離Ｌ１、Ｌ２は、０．５ｍｍ以上、２．０ｍｍ以下に設定されているため、例えば、シール板２４と前面側熱交換器６１及び後面側熱交換器６２との距離が小さすぎて、前面側熱交換器６１及び後面側熱交換器６２からシール板２４への伝熱により、シール板２４に結露しやすくなったり、また、シール板２４と前面側熱交換器６１及び後面側熱交換器６２との距離が大きすぎて、シール板２４が前面側熱交換器６１及び後面側熱交換器６２との間における空気の通過を抑制できなくなったりするのを防ぐことができるようになっている。このように、本実施形態の空気調和装置１の室内ユニット２では、シール板２４が、結露の抑制と空気の通過の抑制とを両立できるようになっている。
【００６７】
（Ｂ）
本実施形態の空気調和装置１の室内ユニット２では、シール板２４が、前面側熱交換器６１及び後面側熱交換器６２との間における空気の通過を抑制するシール板本体７１と、シール板本体７１と前面側熱交換器６１及び後面側熱交換器６２とを所定距離Ｌ１、Ｌ２だけ離間させる離間部７６とを有している。これにより、この空気調和装置１の室内ユニット２では、シール板２４と前面側熱交換器６１及び後面側熱交換器６２とを所定距離Ｌ１、Ｌ２だけ離間させるための別途部材が不要になっている。
【００６８】
また、離間部７６は、シール板本体７１から前面側熱交換器６１及び後面側熱交換器６２に向かって突出する突起７６ａ、７６ｂ、７６ｃであるため、シール板２４と前面側熱交換器６１及び後面側熱交換器６２との距離が所定距離Ｌ１、Ｌ２より接近するような外力が加わった場合に、この突起７６ａ、７６ｂ、７６ｃが前面側熱交換器６１及び後面側熱交換器６２に当接してシール板本体７１が前面側熱交換器６１及び後面側熱交換器６２に接触するのを防ぐことができる。これにより、シール板本体７１と前面側熱交換器６１及び後面側熱交換器６２との距離を所定距離Ｌ１、Ｌ２に確実に保つことができるようになっている。
【００６９】
さらに、複数の熱交換フィン６４の積層方向における突起７６ａ、７６ｂ、７６ｃの長さＷは、複数の熱交換フィン６４の積層間隔Ｐより大きくなっているため（図１０参照）、突起７６ａ、７６ｂ、７６ｃが熱交換フィン６４間に嵌る等の不具合が生じにくくなっている。
【００７０】
（６）他の実施形態
以上、本発明の実施形態について図面に基づいて説明したが、具体的な構成は、これらの実施形態に限られるものではなく、発明の要旨を逸脱しない範囲で変更可能である。
【００７１】
（Ａ）
室内熱交換器の全体形状は、前記実施形態のものに限定されず、前面側熱交換器と後面側熱交換器とが側面視逆Ｖ字形状に連結された部分を有するものであれば、どのような形状であっても適用可能である。
【００７２】
（Ｂ）
リブの形状や個数は、前記実施形態のものに限定されず、種々の形状や個数を適用可能である。
【産業上の利用可能性】
【００７３】
本発明を利用すれば、空調室内を空気調和するための空気調和装置の室内ユニットにおいて、室内熱交換器のシール板における結露を抑えることができる。
【図面の簡単な説明】
【００７４】
【図１】本発明にかかる室内熱交換器のシール板、及び、空気調和装置の室内ユニットの一実施形態が採用された空気調和装置の外観を示す図。
【図２】空気調和装置の概略冷媒回路を示す図。
【図３】空気調和装置の室内ユニットの側面断面図。
【図４】室内熱交換器及びシール板を示す分解斜視図。
【図５】シール板を取り付け面から見た斜視図。
【図６】図５のＢ部分の拡大図。
【図７】図５のＣ部分の拡大図。
【図８】図３のＡ部分の拡大図。
【図９】室内熱交換器にシール板が取り付けられた状態を室内熱交換器の右側面から見た図。
【図１０】図８のＤ−Ｄ断面図。
【符号の説明】
【００７５】
１  空気調和装置
２  室内ユニット
２１  室内熱交換器
２４  シール板
６１ａ、６２ａ  熱交換器
６４  熱交換フィン
７１  シール板本体
７６  離間部
７６ａ、７６ｂ、７６ｃ  突起
Ｌ１、Ｌ２  所定距離
Ｐ  熱交換フィンのピッチ
Ｗ  突起の長手方向幅
【図１】
2005024223.tif 000003
【図２】
2005024223.tif 000004
【図３】
2005024223.tif 000005
【図４】
2005024223.tif 000006
【図５】
2005024223.tif 000007
【図６】
2005024223.tif 000008
【図７】
2005024223.tif 000009
【図８】
2005024223.tif 000010
【図９】
2005024223.tif 000011
【図１０】
2005024223.tif 000012